(57)【要約】【課題】自走の同期信号から元の同期信号に切り換える際の同期乱れを抑制する。【解決手段】同期信号発生装置は、周期設定部１０、パルスマスク部２０及びパルス発生部３０を備えている。パルスマスク部２０は、パルス列Ｐ１及び周期情報ＣＹＣに基づいてパルス列Ｐ２を出力する。パルス発生部３０は、パルス列Ｐ２及び周期情報ＣＹＣに基づいてパルス列Ｐ３を出力する。同期信号ＳＹＮＣをパルス列Ｐ１に同期する状態から自走に切り替える場合、周期設定部１０は、周期選択信号ＳＥＬが変化してからパルス列Ｐ１のパルスを最初に受けたとき、周期情報ＣＹＣを切り換える。一方、同期信号ＳＹＮＣを自走からパルス列Ｐ１との同期に切り替える場合、周期選択信号ＳＥＬが変化してからパルス列Ｐ１のパルスを受けた後、周期情報ＣＹＣを切り換える。【選択図】図１
2006222687.tif 000002
【特許請求の範囲】
【請求項１】
与えられた周期選択信号に応じて、第１の周期を示す周期情報を切り換えて出力する周期設定部と、
第１のパルス列を受け、前記第１の周期と前記第１のパルス列の第２の周期との大小関係が第１の状態にあるとき、前記第１のパルス列を出力する一方、前記大小関係が前記第１の状態以外の第２の状態にあるとき、前記第１のパルス列におけるパルスをマスクした信号を出力するパルスマスク部と、
第２のパルス列を出力するパルス発生部であって、パルスを出力してから、前記周期情報によって示された第１の周期内に前記パルスマスク部からパルスの入力があったとき、当該パルスの入力に応じて次のパルスを出力する一方、前記入力がなかったとき、前記第１の周期の経過後に次のパルスを出力するパルス発生部とを備え、
前記周期設定部は、前記周期選択信号が前記大小関係が前記第１の状態となるように前記第１の周期の変更を選択するものである場合、前記周期選択信号が変化してから前記第１及び第２のパルス列のいずれかにおけるパルスを最初に受けたとき、前記周期情報を切り換える一方、前記周期選択信号が前記大小関係が前記第２の状態となるように前記第１の周期の変更を選択するものである場合、前記周期選択信号が変化してから前記第１のパルス列におけるパルスを最初に受けた後、前記周期情報を切り換える
ことを特徴とする同期信号発生装置。
【請求項２】
与えられた周期選択信号に応じて、第１の周期を示す周期情報を切り換えて出力する一方、マスク信号を出力する周期設定部と、
第１のパルス列を受け、前記第１の周期と前記第１のパルス列の第２の周期との大小関係が第１の状態にあるとき、前記第１のパルス列を出力する一方、前記大小関係が前記第１の状態以外の第２の状態にあるとき、前記第１のパルス列におけるパルスをマスクした信号を出力する第１のパルスマスク部と、
第２のパルス列を出力するパルス発生部であって、パルスを出力してから前記周期情報によって示された第１の周期内に前記パルスマスク部からパルスの入力があったとき、当該パルスの入力に応じて次のパルスを出力する一方、前記入力がなかったとき、前記第１の周期の経過後に次のパルスを出力するパルス発生部と、
前記周期設定部から前記マスク信号が出力されている間、前記第２のパルス列におけるパルスをマスクする第２のパルスマスク部とを備え、
前記周期設定部は、前記周期選択信号が前記大小関係が前記第１の状態となるように前記第１の周期の変更を選択するものである場合、前記周期選択信号が変化してから前記第１及び第２のパルス列のいずれかにおけるパルスを最初に受けたとき、前記周期情報を切り換える一方、前記周期選択信号が前記大小関係が前記第２の状態となるように前記第１の周期の変更を選択するものである場合、前記周期選択信号が変化してから前記第２のパルス列におけるパルスを最初に受けた後、前記周期情報を切り換え、かつ、前記周期選択信号が変化してから前記周期情報を切り換えるまでの間、前記マスク信号を出力する
ことを特徴とする同期信号発生装置。
【請求項３】
与えられた周期選択信号に応じて、第１の周期を示す周期情報を切り換えて出力する周期設定部と、
第１のパルス列を受け、前記第１の周期と前記第１のパルス列の第２の周期との大小関係が第１の状態にあるとき、前記第１のパルス列を出力する一方、前記大小関係が前記第１の状態以外の第２の状態にあるとき、前記第１のパルス列におけるパルスをマスクした信号を出力するパルスマスク部と、
第２のパルス列を出力するパルス発生部であって、パルスを出力してから前記周期情報によって示された第１の周期内に前記パルスマスク部からパルスの入力があったとき、当該パルスの入力に応じて次のパルスを出力する一方、前記入力がなかったとき、前記第１の周期の経過後に次のパルスを出力するパルス発生部とを備え、
前記周期設定部は、前記周期選択信号が前記大小関係が前記第１の状態となるように前記第１の周期の変更を選択するものである場合、前記周期選択信号が変化してから前記第１及び第２のパルス列のいずれかにおけるパルスを最初に受けたとき、前記周期情報を切り換える一方、前記周期選択信号が前記大小関係が前記第２の状態となるように前記第１の周期の変更を選択するものである場合、前記第１のパルス列と前記第２のパルス列との位相差が所定値以下となった後、前記周期情報を切り換える
ことを特徴とする同期信号発生装置。
【請求項４】
請求項３に記載の同期信号発生装置において、
前記周期設定部は、前記周期選択信号が前記大小関係が前記第１の状態となるように前記第１の周期の変更を選択するものである場合、前記第１の周期を漸増させる
ことを特徴とする同期信号発生装置。
【請求項５】
与えられた周期選択信号に応じて、第１の周期を示す周期情報を切り換えて出力する周期設定部と、
第１のパルス列を受け、前記第１の周期と前記第１のパルス列の第２の周期との大小関係が第１の状態にあるとき、前記第１のパルス列を出力する一方、前記大小関係が前記第１の状態以外の第２の状態にあるとき、前記第１のパルス列におけるパルスをマスクした信号を出力するパルスマスク部と、
第２のパルス列を出力するパルス発生部であって、前記パルスマスク部からパルスを受けたとき、カウント値を前記周期情報によって示された第１の周期に相当する初期値に設定して前記カウント値のカウントダウンを開始し、前記パルスマスク部から次のパルスを受けたとき及び前記カウンタ値が第１の所定値となったときのいずれか早い方にパルスを出力するパルス発生部とを備え、
前記カウント値は、カウントダウンによって前記第１の所定値となった後、前記初期値に再設定され、
前記周期設定部は、前記周期選択信号が前記大小関係が前記第１の状態となるように前記第１の周期の変更を選択するものである場合、前記周期選択信号が変化してから前記第１及び第２のパルス列のいずれかにおけるパルスを最初に受けたとき、前記周期情報を切り換える一方、前記周期選択信号が前記大小関係が前記第２の状態となるように前記第１の周期の変更を選択するものである場合、前記周期選択信号が変化してから前記第１のパルス列におけるパルスを最初に受けたときの前記カウント値が第２の所定値よりも小さいとき、前記周期情報を切り換える
ことを特徴とする同期信号発生装置。
【請求項６】
請求項５に記載の同期信号発生装置において、
前記パルス発生部は、
前記周期情報から前記初期値を決定する初期値決定回路と、
前記パルスマスク部からパルスを受けたとき及び前記カウント値が前記第１の所定値となったときのいずれかのとき、前記初期値決定回路から前記初期値を読み込み、前記カウント値のカウントダウンを開始するダウンカウンタと、
前記カウント値が前記第１の所定値となったとき、パルスを出力するパルス発生回路と、
前記パルスマスク部及び前記パルス発生回路のいずれかから受けたパルスを出力するパルス合成回路とを有する
ことを特徴とする同期信号発生装置。
【請求項７】
請求項１、２、３及び５のいずれか一つに記載の同期信号発生装置において、
前記第１の状態は、前記第１の周期が前記第２の周期よりも大きい状態である
ことを特徴とする同期信号発生装置。
【請求項８】
請求項１、２、３及び５のいずれか一つに記載の同期信号発生装置を備え、
前記同期信号発生装置から出力された第２のパルス列に同期して映像信号の処理を行う
ことを特徴とする映像信号処理装置。
【発明の詳細な説明】
【技術分野】
【０００１】
本発明は、同期信号発生装置に関し、特に、各種映像信号処理システムへの適用に好適な同期信号発生装置に関する。
【背景技術】
【０００２】
同期信号は各種映像信号処理システムの動作基準信号であるため、安定した周期性のある信号を生成することが重要である。そのため、従来の技術として、複数の同期信号発生部を備えた同期信号発生装置が開示されている。現出力同期信号を生成している同期信号発生部の動作に異常が生じた場合、別の同期信号発生部の同期信号に切り換えることで途切れることなく同期信号を出力するというものである。
【０００３】
しかしながら、この同期信号発生装置では同期信号の切り換え時に同期信号の不連続が発生してしまい、同期の不連続は各種映像機器の処理に乱れを引き起こす。特に、同期期間の短いものは大きな乱れを引き起こすことが多く、表示映像の顕著なノイズの原因となることもある。
【０００４】
同期信号の不連続を避けるため、従来の技術として、図１１に示す同期信号発生装置が提案されている。従来の同期信号発生装置は、現用同期信号発生部２１と、予備同期信号発生部２２と、制御部２３とを備え、現用同期信号発生部２１から予備同期信号発生部２２へ基準信号ＲＥＦ１を通信する。現用同期信号発生部２１の出力同期信号ＳＹＮＣ１と同期する基準信号ＲＥＦ１を予備同期信号発生部２２へ通信することで、予備同期信号発生部２２の出力同期信号ＳＹＮＣ２を現用同期信号発生部２１の出力同期信号ＳＹＮＣ１に同期させ、制御部２３によって同期信号のスムーズな切り換えを行うことが可能になる（例えば、特許文献１参照）。
【特許文献１】特開２００３−３２５１１号公報
【発明の開示】
【発明が解決しようとする課題】
【０００５】
ある映像信号処理システムに含まれる同期発生機能が上記の同期信号発生装置のみである場合は、互いに現出力同期信号を発生している同期信号発生部がもう一方の同期信号発生部に対し基準信号を送り同期させることにより、双方の同期信号発生部の動作が同時に異常にならない限り途切れなく安定した同期信号を出力することが可能である。ところが、現用同期信号発生部から予備同期信号発生部へと基準信号を送ることができるのが一方向のみである場合、つまり、外部に別の映像信号発生装置が存在し、この内部の同期信号発生部を現用同期信号発生部と考えた場合は、予備同期信号発生部の出力する同期信号から元の現用同期信号発生部に切り換える際に同期信号の不連続が生じてしまう。そして、特に問題となる同期期間の短い同期信号が発生するおそれもある。
【０００６】
具体的には、図１２に示した映像信号処理装置が挙げられる。この映像信号処理装置は、アナログＶＴＲ３１及び同期信号安定化装置３２を備えている。アナログＶＴＲ３１は、同期信号発生部３８を備えている。そして、同期信号安定化装置３２は、同期信号発生部３９、映像・同期信号同期部（フィールドメモリ）４１、及び制御部４２を備えている。アナログＶＴＲ３１からは映像信号ＶＩＤＥＯ１及び同期信号ＳＹＮＣ１が出力される。アナログＶＴＲ３１の早送り・巻戻し等の特殊再生時には同期信号ＳＹＮＣ１が不安定になる。この結果、不安定の程度及び映像機器によっては誤動作を引き起こすことがある。この誤動作を避けるべく同期信号の安定化を図る同期信号安定化装置３２に映像信号ＶＩＤＥＯ１及び同期信号ＳＹＮＣ１を入力し、安定化処理後の映像信号ＶＩＤＥＯ及び同期信号ＳＹＮＣを出力する。
【０００７】
図１２に示した映像信号処理装置において、同期信号発生部３３は図１１に示した同期信号発生装置に相当する。アナログＶＴＲ３１にて特殊再生を行い、同期信号発生部３８から出力される同期信号ＳＹＮＣ１が乱れた場合、制御部４２から出力される同期信号ＳＹＮＣは、同期乱れを抑制するために同期信号ＳＹＮＣ１から、同期信号発生部３９から出力される同期信号ＳＹＮＣ２に切り換えられる。図１３は、同期信号ＳＹＮＣ１から同期信号ＳＹＮＣ２への切り換えを示すタイミングチャートである。同期信号ＳＹＮＣ２は同期信号ＳＹＮＣ１に同期しているため、切り換え時の同期信号乱れは生じない。
【０００８】
一方、同期信号ＳＹＮＣ２へ切り換え後、アナログＶＴＲ３１の動作が特殊再生から通常再生へと変化した場合、同期信号ＳＹＮＣ１は安定するため、アナログＶＴＲ２１とは独立して動作している自走の同期信号ＳＹＮＣ２から同期信号ＳＹＮＣ１へ切り換えることが望ましい。これは、本来の同期信号ＳＹＮＣ１とは異なる同期信号ＳＹＮＣ２が出力され続けた場合、同期乗せ換え処理を介することによって連続性の点で映像が不自然になってしまうという理由による。同期信号ＳＹＮＣ２を同期信号ＳＹＮＣ１に同期させてから切り換えるのが、切り換え時の同期乱れを抑制する上でも好ましい。しかし、同期信号ＳＹＮＣ１は、同期信号安定化部３２とは独立のアナログＶＴＲ３１から出力されるため、同期信号安定化部３２から出力される同期信号ＳＹＮＣ２に同期させることは不可能である。図１４は、同期信号ＳＹＮＣ２から同期信号ＳＹＮＣ１への切り換えを示すタイミングチャートである。同期信号ＳＹＮＣ１は同期信号ＳＹＮＣ２に同期できないため、切り換え時に同期信号が乱れ、例えば、図１４に示したように、同期期間の短い同期信号が発生することがある。
【０００９】
上記問題に鑑み、本発明は、同期信号が不安定になったときに自走の同期信号に切り換え、その後、自走の同期信号から元の同期信号に切り換える際の同期乱れを抑制する同期信号発生装置を実現することを課題とする。
【課題を解決するための手段】
【００１０】
上記課題を解決するために講じた手段は、同期信号発生装置として、与えられた周期選択信号に応じて、第１の周期を示す周期情報を切り換えて出力する周期設定部と、第１のパルス列を受け、前記第１の周期と前記第１のパルス列の第２の周期との大小関係が第１の状態にあるとき、前記第１のパルス列を出力する一方、前記大小関係が前記第１の状態以外の第２の状態にあるとき、前記第１のパルス列におけるパルスをマスクした信号を出力するパルスマスク部と、第２のパルス列を出力するパルス発生部であって、パルスを出力してから、前記周期情報によって示された第１の周期内に前記パルスマスク部からパルスの入力があったとき、当該パルスの入力に応じて次のパルスを出力する一方、前記入力がなかったとき、前記第１の周期の経過後に次のパルスを出力するパルス発生部とを備えたものとする。ここで、前記周期設定部は、前記周期選択信号が前記大小関係が前記第１の状態となるように前記第１の周期の変更を選択するものである場合、前記周期選択信号が変化してから前記第１及び第２のパルス列のいずれかにおけるパルスを最初に受けたとき、前記周期情報を切り換える一方、前記周期選択信号が前記大小関係が前記第２の状態となるように前記第１の周期の変更を選択するものである場合、前記周期選択信号が変化してから前記第１のパルス列におけるパルスを最初に受けた後、前記周期情報を切り換えるものとする。
【００１１】
この発明によると、第１のパルス列と同じ第２の周期で第２のパルス列が出力されているときに周期選択信号が変化すると、その後に第１及び第２のパルス列のいずれかにおけるパルスを最初に受けたときに周期情報が切り換わり、第２のパルス列の周期は周期情報によって示された第１の周期に切り換わる。また、周期情報によって示された第１の周期で第２のパルス列が出力されているとき、すなわち、自走の同期状態において周期選択信号が変化すると、その後に第１のパルス列のパルスを受けた後に周期情報が切り換わり、第２のパルス列の周期は第１のパルス列と同じ第２の周期に復帰する。この復帰は周期選択信号が変化した後であって第１のパルス列のパルスを受けた後に発生するため、このパルス出力に応じて第２のパルス列のパルスが出力されることはなく、期間の短い同期乱れが発生しない。このようにして、自走の同期信号から元の同期信号に切り換える際の同期乱れが抑制される。
【００１２】
また、上記課題を解決するために講じた手段は、同期信号発生装置として、与えられた周期選択信号に応じて、第１の周期を示す周期情報を切り換えて出力する一方、マスク信号を出力する周期設定部と、第１のパルス列を受け、前記第１の周期と前記第１のパルス列の第２の周期との大小関係が第１の状態にあるとき、前記第１のパルス列を出力する一方、前記大小関係が前記第１の状態以外の第２の状態にあるとき、前記第１のパルス列におけるパルスをマスクした信号を出力する第１のパルスマスク部と、第２のパルス列を出力するパルス発生部であって、パルスを出力してから前記周期情報によって示された第１の周期内に前記パルスマスク部からパルスの入力があったとき、当該パルスの入力に応じて次のパルスを出力する一方、前記入力がなかったとき、前記第１の周期の経過後に次のパルスを出力するパルス発生部と、前記周期設定部から前記マスク信号が出力されている間、前記第２のパルス列におけるパルスをマスクする第２のパルスマスク部とを備えたものとする。ここで、前記周期設定部は、前記周期選択信号が前記大小関係が前記第１の状態となるように前記第１の周期の変更を選択するものである場合、前記周期選択信号が変化してから前記第１及び第２のパルス列のいずれかにおけるパルスを最初に受けたとき、前記周期情報を切り換える一方、前記周期選択信号が前記大小関係が前記第２の状態となるように前記第１の周期の変更を選択するものである場合、前記周期選択信号が変化してから前記第２のパルス列におけるパルスを最初に受けた後、前記周期情報を切り換え、かつ、前記周期選択信号が変化してから前記周期情報を切り換えるまでの間、前記マスク信号を出力するものとする。
【００１３】
この発明によると、第１のパルス列と同じ第２の周期で第２のパルス列が出力されているときに周期選択信号が変化すると、その後に第１及び第２のパルス列のいずれかにおけるパルスを最初に受けたときに周期情報が切り換わり、第２のパルス列の周期は周期情報によって示された第１の周期に切り換わる。また、周期情報によって示された第１の周期で第２のパルス列が出力されているとき、すなわち、自走の同期状態において周期選択信号が変化すると、その後に第２のパルス列のパルスを受けた後に周期情報が切り換わり、第２のパルス列の周期は第１のパルス列と同じ第２の周期に復帰する。しかし、このとき、マスク信号が出力されているため、周期情報を切り換える基となった第２のパルス列のパルスはマスクされ、第２のパルスマスク部の出力には現れない。第２のパルスマスク部からは、その後に第１のパルス列のパルスが出力されたときに、パルスが出力される。このように、周期情報を切り換える基となった第２のパルス列のパルスをマスクすることにより、その後に第１のパルス列のパルスが出力されるまでに、期間の短いパルスが発生せず、自走の同期信号から元の同期信号に切り換える際の同期乱れが抑制される。
【００１４】
また、上記課題を解決するために講じた手段は、同期信号発生装置として、与えられた周期選択信号に応じて、第１の周期を示す周期情報を切り換えて出力する周期設定部と、第１のパルス列を受け、前記第１の周期と前記第１のパルス列の第２の周期との大小関係が第１の状態にあるとき、前記第１のパルス列を出力する一方、前記大小関係が前記第１の状態以外の第２の状態にあるとき、前記第１のパルス列におけるパルスをマスクした信号を出力するパルスマスク部と、第２のパルス列を出力するパルス発生部であって、パルスを出力してから前記周期情報によって示された第１の周期内に前記パルスマスク部からパルスの入力があったとき、当該パルスの入力に応じて次のパルスを出力する一方、前記入力がなかったとき、前記第１の周期の経過後に次のパルスを出力するパルス発生部とを備えたものとする。ここで、前記周期設定部は、前記周期選択信号が前記大小関係が前記第１の状態となるように前記第１の周期の変更を選択するものである場合、前記周期選択信号が変化してから前記第１及び第２のパルス列のいずれかにおけるパルスを最初に受けたとき、前記周期情報を切り換える一方、前記周期選択信号が前記大小関係が前記第２の状態となるように前記第１の周期の変更を選択するものである場合、前記第１のパルス列と前記第２のパルス列との位相差が所定値以下となった後、前記周期情報を切り換えるものとする。
【００１５】
この発明によると、第１のパルス列と同じ第２の周期で第２のパルス列が出力されているときに周期選択信号が変化すると、その後に第１及び第２のパルス列のいずれかにおけるパルスを最初に受けたときに周期情報が切り換わり、第２のパルス列の周期は周期情報によって示された第１の周期に切り換わる。また、周期情報によって示された第１の周期で第２のパルス列が出力されているとき、すなわち、自走の同期状態において周期選択信号が変化すると、その後に第１のパルス列と第２のパルス列との位相差が所定値以下となった後に周期情報が切り換わり、第２のパルス列の周期は第１のパルス列と同じ第２の周期に復帰する。この復帰は周期選択信号が変化した後であって第１のパルス列と第２のパルス列との位相差が所定値以下となった後に、すなわち、第１のパルス列と第２のパルス列との位相差がある程度まで近づいた後に発生するため、自走の同期信号から元の同期信号に切り換える際の同期乱れが抑制される。
【００１６】
好ましくは、前記周期設定部は、前記周期選択信号が前記大小関係が前記第１の状態となるように前記第１の周期の変更を選択するものである場合、前記第１の周期を漸増させるものとする。
【００１７】
この発明によると、第１の周期と第２の周期とが等しく、第１のパルス列と第２のパルス列との位相差が変化しない場合、第１の周期を漸増させることによって、この位相差を所定値以下となるようにすることができる。
【００１８】
また、上記課題を解決するために講じた手段は、同期信号発生装置として、与えられた周期選択信号に応じて、第１の周期を示す周期情報を切り換えて出力する周期設定部と、第１のパルス列を受け、前記第１の周期と前記第１のパルス列の第２の周期との大小関係が第１の状態にあるとき、前記第１のパルス列を出力する一方、前記大小関係が前記第１の状態以外の第２の状態にあるとき、前記第１のパルス列におけるパルスをマスクした信号を出力するパルスマスク部と、第２のパルス列を出力するパルス発生部であって、前記パルスマスク部からパルスを受けたとき、カウント値を前記周期情報によって示された第１の周期に相当する初期値に設定して前記カウント値のカウントダウンを開始し、前記パルスマスク部から次のパルスを受けたとき及び前記カウンタ値が第１の所定値となったときのいずれか早い方にパルスを出力するパルス発生部とを備えたものとする。ここで、前記カウント値は、カウントダウンによって前記第１の所定値となった後、前記初期値に再設定されるものとする。また、前記周期設定部は、前記周期選択信号が前記大小関係が前記第１の状態となるように前記第１の周期の変更を選択するものである場合、前記周期選択信号が変化してから前記第１及び第２のパルス列のいずれかにおけるパルスを最初に受けたとき、前記周期情報を切り換える一方、前記周期選択信号が前記大小関係が前記第２の状態となるように前記第１の周期の変更を選択するものである場合、前記周期選択信号が変化してから前記第１のパルス列におけるパルスを最初に受けたときの前記カウント値が第２の所定値よりも小さいとき、前記周期情報を切り換えるものとする。
【００１９】
この発明によると、第１のパルス列と同じ第２の周期で第２のパルス列が出力されているときに周期選択信号が変化すると、その後に第１及び第２のパルス列のいずれかにおけるパルスを最初に受けたときに周期情報が切り換わり、第２のパルス列の周期は周期情報によって示された第１の周期に切り換わる。また、周期情報によって示された第１の周期で第２のパルス列が出力されているとき、すなわち、自走の同期状態において周期選択信号が変化すると、その後にパルス発生部によってカウントされたカウント値が所定値となったときに周期情報が切り換わり、第２のパルス列の周期は第１のパルス列と同じ第２の周期に復帰する。
この復帰は周期選択信号が変化した後であって第１のパルス列のパルスを最初に受けたときのカウント値が所定値以下となった後に、すなわち、第１のパルス列と第２のパルス列との位相差がある程度まで近づいた後に発生するため、自走の同期信号から元の同期信号に切り換える際の同期乱れが抑制される。
【００２０】
具体的には、前記パルス発生部は、前記周期情報から前記初期値を決定する初期値決定回路と、前記パルスマスク部からパルスを受けたとき及び前記カウント値が前記第１の所定値となったときのいずれかのとき、前記初期値決定回路から前記初期値を読み込み、前記カウント値のカウントダウンを開始するダウンカウンタと、前記カウント値が前記第１の所定値となったとき、パルスを出力するパルス発生回路と、前記パルスマスク部及び前記パルス発生回路のいずれかから受けたパルスを出力するパルス合成回路とを有する。
【００２１】
また、具体的には、上記の各同期信号発生装置において、前記第１の状態は、前記第１の周期が前記第２の周期よりも大きい状態である。
【発明の効果】
【００２２】
以上のように、本発明によると、同期不安定時の自走の同期信号と同期安定時の同期信号との切り換えの際に、各種映像機器の誤動作の原因となる同期期間の短い同期信号の発生が抑制され、スムーズな同期信号切り換えが可能となる。
【発明を実施するための最良の形態】
【００２３】
以下、本発明を実施するための最良の形態について、図面を参照しながら説明する。
【００２４】
（第１の実施形態）
図１は、本発明の第１の実施形態に係る同期信号発生装置の構成を示す。本実施形態に係る同期信号発生装置は、周期設定部１０、パルスマスク部２０、パルス発生部３０及び整形部４０を備えている。周期設定部１０は、周期Ｃ１を示す周期情報ＣＹＣを出力する。パルスマスク部２０は、パルス列Ｐ１及び周期情報ＣＹＣに基づいてパルス列Ｐ２を出力する。パルス列Ｐ１は、図１１に示した従来の同期信号発生装置における同期信号ＳＹＮＣ１に相当する。具体的には、パルスマスク部２０は、パルス列Ｐ１におけるパルスの周期をＣ２としたとき、Ｃ１＞Ｃ２のとき、パルス列Ｐ１をパルス列Ｐ２として出力し、Ｃ１≦Ｃ２のとき、パルス列Ｐ１におけるパルスをマスクした信号をパルス列Ｐ２として出力する。パルス発生部３０は、パルス列Ｐ２及び周期情報ＣＹＣに基づいてパルス列Ｐ３を出力する。具体的には、パルス発生部３０は、あるパルスを出力してから周期Ｃ１内にパルスマスク部２０からパルスが入力されたとき、次のパルスを出力する。一方、パルスマスク部２０からパルスが入力されなかったとき、周期Ｃ１が経過した後に次のパルスを出力する。整形部４０は、パルス列Ｐ３を整形して同期信号ＳＹＮＣを出力する。
【００２５】
周期設定部１０は、パルス列Ｐ１及び周期選択信号ＳＥＬに基づいて周期情報ＣＹＣを切り換える。具体的には、周期設定部１０は、周期選択信号ＳＥＬが周期Ｃ１の減少を選択するものである場合、周期選択信号ＳＥＬが変化してからパルス列Ｐ１のパルスを最初に受けたとき、周期情報ＣＹＣを、周期選択信号ＳＥＬによって選択された周期Ｃ１を示す情報に切り換える。一方、周期選択信号ＳＥＬが周期Ｃ１の増大を選択するものである場合、周期選択信号ＳＥＬが変化してからパルス列Ｐ１のパルスを受けた後、周期情報ＣＹＣを、周期選択信号ＳＥＬによって選択された周期Ｃ１を示す情報に切り換える。
【００２６】
以下、本実施形態に係る同期信号発生装置の動作について、図２のタイミングチャートを参照しながら説明する。
【００２７】
時刻ｔ１までは、周期情報ＣＹＣが示す周期Ｃ１はパルス列Ｐ１の周期Ｃ２よりも大きい状態、すなわち、Ｃ１＞Ｃ２となっている。したがって、同期信号ＳＹＮＣは、パルス列Ｐ１に同期している。
【００２８】
パルス列Ｐ１が不安定になったため同期信号ＳＹＮＣの切り換えが必要となり、時刻ｔ１に周期選択信号ＳＥＬが変化する。このとき、周期選択信号ＳＥＬによって、周期Ｃ１が周期Ｃ２以下になるように周期Ｃ１の減少が選択される。しかし、周期情報ＣＹＣはすぐには切り換わらずに、パルス列Ｐ１のパルスＰＡが出力されたときの時刻ｔ２に切り換わる。また、時刻ｔ２におけるパルス列Ｐ１のパルスＰＡの出力に応じてパルス列Ｐ２及びＰ３のパルスが出力される。したがって、同期信号ＳＹＮＣは、時刻ｔ２までは周期Ｃ２のパルス列Ｐ１に同期している。
【００２９】
時刻ｔ２から後、周期情報ＣＹＣが切り換わるまでは、Ｃ１≦Ｃ２となっているため、パルスマスク部２０によってパルス列Ｐ１におけるパルスがマスクされ、パルスマスク部２０からはパルスが出力されない。このため、パルス発生部３０から周期Ｃ１のパルス列Ｐ３が出力される。すなわち、時刻ｔ２に、同期信号ＳＹＮＣは、周期Ｃ１の自走の同期信号に切り換わる。
【００３０】
その後、パルス列Ｐ１が安定し、同期信号ＳＹＮＣを再びパルス列Ｐ１に同期させるべく、時刻ｔ３に周期選択信号ＳＥＬが変化する。このとき、周期選択信号ＳＥＬによって、周期Ｃ１が周期Ｃ２よりも大きくなるように周期Ｃ１の増大が選択される。しかし、周期情報ＣＹＣはすぐには切り換わらずに、パルス列Ｐ１のパルスＰＢが出力された後の時刻ｔ４に切り換わる。したがって、パルスＰＢが出力された時点では周期情報ＣＹＣはまだ切り換わっておらず、パルスＰ２のパルスＰＢはマスクされている。このため、パルスＰＢが出力されてもパルス発生部３０はパルスを出力しない。
【００３１】
その後、時刻ｔ５に、パルス列Ｐ１のパルスＰＣが出力されたとき、パルスマスク部２０はパルスＰＣをマスクせずに出力する。パルス発生部３０は、パルスマスク部２０からパルスを受けることによって次のパルスを出力する。この結果、同期信号ＳＹＮＣにパルス列Ｐ１に同期したパルスが現れ、時刻ｔ５以降は、同期信号ＳＹＮＣは再びパルス列Ｐ１に同期したものとなる。ここで、時刻ｔ３以降の同期信号ＳＹＮＣには同期乱れが生じているが、この同期乱れは周期Ｃ１よりも長い周期の乱れとなっている。
【００３２】
以上、本実施形態によると、同期信号ＳＹＮＣが自走状態からパルス列Ｐ１に同期する状態に復帰する際、問題となる同期期間の短い同期信号の発生が回避される。
【００３３】
なお、周期設定部１０は、周期選択信号ＳＥＬが周期Ｃ１の減少を選択するものである場合、周期選択信号ＳＥＬが変化してからパルス列Ｐ３のパルスを最初に受けたとき、周期情報ＣＹＣを、周期選択信号ＳＥＬによって選択された周期Ｃ１を示す情報に切り換えるようにしてもよい。具体的には、図２において、時刻ｔ２に、パルス列Ｐ３のパルスＰＤが出力されたときに、周期情報ＣＹＣが切り換わるようにしてもよい。
【００３４】
（第２の実施形態）
図３は、本発明の第２の実施形態に係る同期信号発生装置の構成を示す。本実施形態に係る同期信号発生装置は、周期設定部１０Ａ、パルスマスク部２０、パルス発生部３０及び整形部４０Ａを備えている。パルスマスク部２０及びパルス発生部３０は第１の実施形態と同様であるため説明を省略し、以下、特に、周期設定部１０Ａ及び整形部４０Ａについて説明する。
【００３５】
周期設定部１０Ａは、パルス列Ｐ３及び周期選択信号ＳＥＬに基づいて周期情報ＣＹＣを切り換える。具体的には、周期設定部１０Ａは、周期選択信号ＳＥＬが周期Ｃ１の減少を選択するものである場合、周期選択信号ＳＥＬが変化してからパルス列Ｐ３のパルスを最初に受けたとき、周期情報ＣＹＣを、周期選択信号ＳＥＬによって選択された周期Ｃ１を示す情報に切り換える。一方、周期選択信号ＳＥＬが周期Ｃ１の増大を選択するものである場合、周期選択信号ＳＥＬが変化してからパルス列Ｐ３のパルスを受けた後、周期情報ＣＹＣを、周期選択信号ＳＥＬによって選択された周期Ｃ１を示す情報に切り換える。特に、周期選択信号ＳＥＬが周期Ｃ１の増大を選択するものである場合、周期設定部１０Ａは、周期選択信号ＳＥＬが変化してから周期情報ＣＹＣを切り換えるまでの間、マスク信号ＭＳＫを出力する。
【００３６】
整形部４０Ａは、周期設定部１０Ａからマスク信号ＭＳＫが出力されている間、パルス列Ｐ３におけるパルスにマスク処理を施して同期信号ＳＹＮＣを出力する。すなわち、整形部４０Ａは、パルス列Ｐ３のパルスをマスクするパルスマスク部としても機能する。
【００３７】
以下、本実施形態に係る同期信号発生装置の動作について、図４のタイミングチャートを参照しながら説明する。なお、時刻ｔ３までは、図２に示したタイミングチャート同様であるので説明を省略する。
【００３８】
パルス列Ｐ１が安定し、同期信号ＳＹＮＣを自走の状態からパルス列Ｐ１と同期する状態に復帰させるべく、時刻ｔ３に周期選択信号ＳＥＬが変化する。このとき、周期選択信号ＳＥＬによって、周期Ｃ１が周期Ｃ２よりも大きくなるように周期Ｃ１の増大が選択される。しかし、周期情報ＣＹＣはすぐには切り換わらずに、パルス列Ｐ３のパルスＰＡが出力された後の時刻ｔ４に切り換わる。
【００３９】
時刻ｔ３に周期選択信号ＳＥＬが上記の変化をして、時刻ｔ４に周期情報ＣＹＣが切り換わるまでの間、マスク信号ＭＳＫが出力される。マスク信号ＭＳＫが出力されている間、パルス列Ｐ３のパルスは整形部４０によってマスクされるため、同期信号ＳＹＮＣにパルスＰＡに対応するパルスは現れない。
【００４０】
時刻ｔ４後にパルス列Ｐ１のパルスＰＢが出力された時刻ｔ５において、周期情報ＣＹＣはすでに切り換わっており、Ｃ１＞Ｃ２となっている。したがって、パルス列Ｐ１のパルスＰＢはパルスマスク部２０によってマスクされずに、パルスＰＢの出力に応じてパルス列Ｐ２及びＰ３のパルスが出力され、時刻ｔ５以降は、同期信号ＳＹＮＣは再びパルス列Ｐ１に同期したものとなる。
【００４１】
時刻ｔ５では、マスク信号ＭＳＫは出力されていないため、整形部４０によってパルス列Ｐ３のパルスはマスクされない。したがって、時刻ｔ３に周期選択信号ＳＥＬが変化した後、時刻ｔ５に初めて同期信号ＳＹＮＣにパルスが現れる。ここで、時刻ｔ３での周期選択信号ＳＥＬの変化によって同期信号ＳＹＮＣに同期乱れが生じているが、この同期乱れは周期Ｃ１よりも長い周期の乱れとなっている。
【００４２】
以上、本実施形態によると、同期信号ＳＹＮＣが自走状態からパルス列Ｐ１に同期する状態に復帰する際、問題となる同期期間の短い同期信号の発生が回避される。
【００４３】
なお、周期設定部１０Ａは、周期選択信号ＳＥＬが周期Ｃ１の減少を選択するものである場合、周期選択信号ＳＥＬが変化してからパルス列Ｐ１のパルスを最初に受けたとき、周期情報ＣＹＣを、周期選択信号ＳＥＬによって選択された周期Ｃ１を示す情報に切り換えるようにしてもよい。具体的には、図４において、時刻ｔ２に、パルス列Ｐ１のパルスＰＣが出力されたときに、周期情報ＣＹＣが切り換わるようにしてもよい。
【００４４】
（第３の実施形態）
図５は、本発明の第３の実施形態に係る同期信号発生装置の構成を示す。本実施形態に係る同期信号発生装置は、周期設定部１０Ｂ、パルスマスク部２０、パルス発生部３０及び整形部４０を備えている。パルスマスク部２０、パルス発生部３０及び整形部４０は第１の実施形態と同様であるため説明を省略し、以下、特に、周期設定部１０Ｂについて説明する。
【００４５】
周期設定部１０Ｂは、パルス列Ｐ１及びＰ３並びに周期選択信号ＳＥＬに基づいて周期情報ＣＹＣを切り換える。具体的には、周期設定部１０Ｂは、周期選択信号ＳＥＬが周期Ｃ１の減少を選択するものである場合、周期選択信号ＳＥＬが変化してからパルス列Ｐ１及びＰ３のいずれかにおけるパルスを最初に受けたとき、周期情報ＣＹＣを、周期選択信号ＳＥＬによって選択された周期Ｃ１を示す情報に切り換える。一方、周期選択信号ＳＥＬが周期Ｃ１の増大を選択するものである場合、パルス列Ｐ１とパルス列Ｐ３との位相差が所定値以下と（又は所定値よりも小さく）なった後、周期情報ＣＹＣを、周期選択信号ＳＥＬによって選択された周期Ｃ１を示す情報に切り換える。
【００４６】
以下、本実施形態に係る同期信号発生装置の動作、特に、同期信号ＳＹＮＣが自走の状態からパルス列Ｐ１に同期する状態に復帰するときの動作について、図６のタイミングチャートを参照しながら説明する。
【００４７】
同期信号ＳＹＮＣを自走の状態からパルス列Ｐ１と同期する状態に復帰させるべく、時刻ｔ１に周期選択信号ＳＥＬが変化する。このとき、周期選択信号ＳＥＬによって、周期Ｃ１が周期Ｃ２よりも大きくなるように周期Ｃ１の増大が選択される。しかし、周期情報ＣＹＣはすぐには切り換わらずに、パルス列Ｐ１とパルス列Ｐ３との位相差が所定値以下と（又は所定値よりも小さく）なった後の時刻ｔ２に切り換わる。したがって、時刻ｔ２までは、同期信号ＳＹＮＣは、周期Ｃ１の自走の状態が続く。
【００４８】
時刻ｔ２後にパルス列Ｐ１のパルスＰＡが出力された時刻ｔ３において、周期情報ＣＹＣはすでに切り換わっており、Ｃ１＞Ｃ２となっている。したがって、パルス列Ｐ１のパルスＰＡはパルスマスク部２０によってマスクされずに、パルスＰＡの出力に応じてパルス列Ｐ２及びＰ３のパルスが出力され、時刻ｔ３以降は、同期信号ＳＹＮＣは再びパルス列Ｐ１に同期したものとなる。ここで、時刻ｔ２での周期情報ＣＹＣの切り換えによって同期信号ＳＹＮＣに同期乱れが生じているが、この同期乱れは、周期Ｃ２とほぼ同じ、より正確に言えば、周期Ｃ２よりもわずかにパルス列Ｐ１とパルス列Ｐ３との位相差分だけ長い周期の乱れとなっている。
【００４９】
以上、本実施形態によると、同期信号ＳＹＮＣが自走状態からパルス列Ｐ１に同期する状態に復帰する際に生じる同期乱れが、第１及び第２の実施形態より抑制される。
【００５０】
なお、時刻ｔ１に周期選択信号ＳＥＬが変化して周期情報ＣＹＣの切り換え指示がされても、Ｃ１＝Ｃ２の場合、パルス列Ｐ１とパルス列Ｐ３との位相差は一定のまま変化しないため、周期情報ＣＹＣの切り換えができない。そこで、このような場合には、周期Ｃ１を段階的に増大させる。図７は、周期Ｃ１を段階的に増大させた場合のタイミングチャートである。周期Ｃ１は時刻ｔ１以降、漸増し、時刻ｔ２に、パルス列Ｐ１とパルス列Ｐ３との位相差が所定値以下と（又は所定値よりも小さく）なる。これにより、周期情報ＣＹＣが切り換わり、同期信号ＳＹＮＣがパルス列Ｐ１に同期するようになる。
【００５１】
（第４の実施形態）
図８は、本発明の第４の実施形態に係る同期信号発生装置の構成を示す。本実施形態に係る同期信号発生装置は、周期設定部１０Ｃ、パルスマスク部２０、パルス発生部３０Ｃ及び整形部４０を備えている。パルスマスク部２０及び整形部４０は第１の実施形態と同様であるため説明を省略し、以下、特に、周期設定部１０Ｃ及びパルス発生部３０Ｃについて説明する。
【００５２】
図９は、パルス発生部３０Ｃの内部構成を示す。パルスマスク部３０Ｃは、初期値決定回路３０１、ダウンカウンタ３０２、パルス生成回路３０３及びパルス合成回路３０４を備えている。初期値決定回路３０１は、周期情報ＣＹＣからカウンタ初期値を決定する。ダウンカウンタ３０２は、パルス列Ｐ２のパルスを受けるごとに、初期値決定回路３０１からカウンタ初期値を読み込み、一定期間ごとに値をデクリメントし、カウント値ＣＮＴを出力する。また、パルス列Ｐ２のパルスが入力されない場合、ダウンカウンタ３０２は、カウント値ＣＮＴが所定値、例えば、“０”となるごとに、初期値決定回路３０１からカウンタ初期値を読み込み、一定期間ごとに値をデクリメントし、カウント値ＣＮＴを出力する。パルス生成回路３０３は、カウント値ＣＮＴが所定値、例えば、“０”となるごとにパルス列Ｐ０としてのパルスを出力する。パルス合成回路３０４は、パルス列Ｐ２及びＰ０のパルスのいずれかを受けたとき、パルス列Ｐ３としてのパルスを出力する。したがって、パルス発生部３０Ｃは、パルス列Ｐ２のパルスが周期Ｃ１よりも短い周期で入力されているときは、そのパルス入力に応じてパルスを出力し、パルスを出力してから周期Ｃ１以内にパルス列Ｐ２のパルスの入力がないときは、次のパルスを出力する。
【００５３】
一方、周期設定部１０Ｃは、パルス列Ｐ１、周期選択信号ＳＥＬ及びカウント値ＣＮＴに基づいて周期情報ＣＹＣを切り換える。具体的には、周期設定部１０Ｃは、周期選択信号ＳＥＬが周期Ｃ１の減少を選択するものである場合、周期選択信号ＳＥＬが変化してからパルス列Ｐ１のパルスを最初に受けたとき、周期情報ＣＹＣを、周期選択信号ＳＥＬによって選択された周期Ｃ１を示す情報に切り換える。一方、周期選択信号ＳＥＬが周期Ｃ１の増大を選択するものである場合、周期選択信号ＳＥＬが変化してからパルス列Ｐ１のパルスを最初に受けたときのカウント値ＣＮＴが所定値よりも小さい（又は所定値以下の）とき、周期情報ＣＹＣを、周期選択信号ＳＥＬによって選択された周期Ｃ１を示す情報に切り換える。
【００５４】
以下、本実施形態に係る同期信号発生装置の動作、特に、同期信号ＳＹＮＣが自走の状態からパルス列Ｐ１に同期する状態に復帰するときの動作について、図１０のタイミングチャートを参照しながら説明する。
【００５５】
同期信号ＳＹＮＣを自走の状態からパルス列Ｐ１と同期する状態に復帰させるべく、時刻ｔ１に周期選択信号ＳＥＬが変化する。このとき、周期選択信号ＳＥＬによって、周期Ｃ１が周期Ｃ２よりも大きくなるように周期Ｃ１の増大が選択される。しかし、周期情報ＣＹＣはすぐには切り換わらずに、時刻ｔ１後にパルス列Ｐ１のパルスを受けたときのカウント値ＣＮＴが所定値よりも小さい（又は所定値以下の）ときに切り換わる。
【００５６】
図１０のタイミングチャートでは、時刻ｔ２にパルス列Ｐ１のパルスＰＡが出力されたとき、カウント値ＣＮＴは所定値よりも小さい（又は所定値以下の）ため、周期情報ＣＹＣが切り換わり、Ｃ１＞Ｃ２となる。これにより、パルスＰＡはパルスマスク部２０によってマスクされずに、パルスＰＡの出力に応じてパルス列Ｐ２のパルス及びパルス列Ｐ３のパルスＰＢが出力される。このパルスＰＢは、時刻ｔ２に周期情報ＣＹＣが切り換わっていなければ出力されていたパルス（図中に破線で示したパルスＰＢ´）よりもわずかに早く出力されている。このとき、同期乱れが生じているが、その乱れは周期Ｃ１よりもわずかに短いものである。また、その乱れは、最大でも、カウント値ＣＮＴと比較される所定値に相当する期間である。したがって、この所定値を適宜設定することにより、同期信号切り換え時に機器の動作に影響を与えない範囲で短いパルスが許容され、同期乱れが抑制される。
【００５７】
時刻ｔ２以降は、Ｃ１＞Ｃ２となっているため、パルス列Ｐ２としてパルス列Ｐ１が出力される。この結果、パルス列Ｐ３は、パルス列Ｐ１に同期したものとなり、同期信号ＳＹＮＣの周期はＣ２となる。すなわち、同期信号ＳＹＮＣはパルス列Ｐ１に同期したものとなる。
【００５８】
以上、本実施形態によると、同期信号ＳＹＮＣが自走状態からパルス列Ｐ１に同期する状態に復帰する際に期間の短いパルスが出力されるが、その同期乱れは、機器の動作に影響を与えない程度に抑制される。
【００５９】
なお、以上説明した各実施形態を適宜組み合わせて同期信号発生装置を構成することが可能である。また、パルス列Ｐ１の入力を一通りに限って説明したが、２種類以上存在する場合であっても、上記の各実施形態と同様に同期信号発生装置が構成可能である。
【００６０】
また、上記の各実施形態において、パルスマスク部１０がパルス列Ｐ１のパルスをマスクするのは、周期Ｃ１が周期Ｃ２以上のとき（Ｃ１≧Ｃ２）や、周期Ｃ１が周期Ｃ２よりも小さいとき（Ｃ１＜Ｃ２）であってもよい。要するに、周期Ｃ１と周期Ｃ２との大小関係に応じてマスク処理を施すか否かが決定されればよい。
【００６１】
また、上記説明において参照した図中の各パルスはすべて負極性で表記されているが、正極性のパルスであっても本発明が奏する効果を何ら損なうものではない。
【００６２】
また、上記各実施形態に係る同期信号発生装置を、図１２に示した映像信号処理装置に組み込むことにより、同期乱れが抑制された映像信号処理装置が実現される。
【産業上の利用可能性】
【００６３】
本発明に係る同期信号発生装置は、同期信号切り換え時の同期乱れが抑制可能であるため、各種映像機器用の入力同期信号処理回路等として有用である。また、映像機器の同期信号に限らず、一定の周期を持つ基準信号を切り換える際に生じる信号乱れを抑える等の用途にも応用できる。
【図面の簡単な説明】
【００６４】
【図１】本発明の第１の実施形態に係る同期信号発生装置の構成図である。
【図２】本発明の第１の実施形態に係る同期信号発生装置のタイミングチャートである。
【図３】本発明の第２の実施形態に係る同期信号発生装置の構成図である。
【図４】本発明の第２の実施形態に係る同期信号発生装置のタイミングチャートである。
【図５】本発明の第３の実施形態に係る同期信号発生装置の構成図である。
【図６】本発明の第３の実施形態に係る同期信号発生装置のタイミングチャートである。
【図７】本発明の第３の実施形態に係る同期信号発生装置のタイミングチャートである。
【図８】本発明の第４の実施形態に係る同期信号発生装置の構成図である。
【図９】本発明の第４の実施形態に係る同期信号発生装置におけるパルス発生部の内部構成図である。
【図１０】本発明の第４の実施形態に係る同期信号発生装置のタイミングチャートである。
【図１１】従来の同期信号発生装置の構成図である。
【図１２】従来の映像信号処理装置の構成図である。
【図１３】従来の同期信号の切り換えを示すタイミングチャートである。
【図１４】従来の同期信号の切り換えを示すタイミングチャートである。
【符号の説明】
【００６５】
１０，１０Ａ，１０Ｂ，１０Ｃ  周期設定部
２０  パルスマスク部（第１のパルスマスク部）
３０，３０Ｃ  パルス発生部
４０Ａ  整形部（第２のパルスマスク部）
３０１  初期値決定回路
３０２  ダウンカウンタ
３０３  パルス生成回路
３０４  パルス合成回路
【図１】
2006222687.tif 000003
【図２】
2006222687.tif 000004
【図３】
2006222687.tif 000005
【図４】
2006222687.tif 000006
【図５】
2006222687.tif 000007
【図６】
2006222687.tif 000008
【図７】
2006222687.tif 000009
【図８】
2006222687.tif 000010
【図９】
2006222687.tif 000011
【図１０】
2006222687.tif 000012
【図１１】
2006222687.tif 000013
【図１２】
2006222687.tif 000014
【図１３】
2006222687.tif 000015
【図１４】
2006222687.tif 000016